(57)【特許請求の範囲】
【請求項１】
水周り設備からの排水を貯留する貯留槽と、
前記貯留槽の内部に配設され、前記排水が流入する排水流入口及び前記排水をろ過する複数の小穴が設けられたフィルター室と、
前記フィルター室内部に配設され、排水中の固形物を粉砕するカッタと、
前記フィルター室によりろ過された排水を前記貯留槽外へ排出するポンプと、
前記カッタを駆動するモータと、
前記貯留槽内部を確認できるように前記貯留槽の所定位置に開口された貯留槽点検口と、
前記貯留槽点検口を開閉する貯留槽点検蓋と、
を備えた圧送排水装置において、
前記フィルター室の前記貯留槽点検口と対面する位置に、前記フィルター室内部を確認できるように前記小穴より大きい開口として形成したフィルター室点検口を形成するとともに、
前記貯留槽点検蓋に、前記フィルター室点検口を塞ぐよう前記貯留槽内方向に突出する突出部を設け、該突出部によって前記フィルター室点検口から排水が漏れるのを抑制するよう構成し、前記貯留槽点検蓋は、前記貯留槽に対してのみ着脱自在に固定され、前記突出部は、前記フィルター室点検口に近接するように突出して設けられていることを特徴とする圧送排水装置。
【請求項２】
前記突出部と前記フィルター室点検口との隙間は、前記小穴の開口量より小さくなるように突出して設けられていることを特徴とする請求項１に記載の圧送排水装置。
【請求項３】
水周り設備からの排水を貯留する貯留槽と、
前記貯留槽の内部に配設され、前記排水が流入する排水流入口及び前記排水をろ過する複数の小穴が設けられたフィルター室と、
前記フィルター室内部に配設され、
排水中の固形物を粉砕するカッタと、
前記フィルター室によりろ過された排水を前記貯留槽外へ排出するポンプと、
前記カッタを駆動するモータと、
前記貯留槽内部を確認できるように前記貯留槽の所定位置に開口された貯留槽点検口と、
前記貯留槽点検口を開閉する貯留槽点検蓋と、
を備えた圧送排水装置において、
前記フィルター室の前記貯留槽点検口と対面する位置に、前記フィルター室内部を確認できるように前記小穴より大きい開口として形成したフィルター室点検口を形成するとともに、前記貯留槽点検蓋に、前記フィルター室点検口を塞ぐよう前記貯留槽内方向に突出する突出部を設け、該突出部によって前記フィルター室点検口から排水が漏れるのを抑制するよう構成し、前記フィルター室点検口には、前記貯留槽点検口側に突出する筒状部材が設けられ、該筒状部材内に前記突出部が挿入されるよう構成されていることを特徴とする圧送排水装置。
【請求項４】
前記貯留槽点検蓋及び突出部に前記フィルター室の内部を目視可能な透過部を設けたことを特徴とする請求項１または３記載の圧送排水装置。
【請求項５】
前記貯留槽の内部において、前記フィルター室点検口が上方の位置になるように、上からフィルター室、モータ、ポンプの順で配置されていることを特徴とする請求項１または３記載の圧送排水装置。
【発明の詳細な説明】
【技術分野】
【０００１】
本発明は、水廻り設備からの排水を圧送排出する圧送排水装置に係り、特に圧送排水装置の内部に備えたフィルター室内を点検或いは清掃する際の衛生性を向上した圧送排水装置に関する発明である。 
【背景技術】
【０００２】
従来の圧送排水装置は、汚水を貯留する貯留槽と、貯留槽上部の全面を覆う蓋と、大便器からの汚物が直接流入し側面に小孔の開いたフィルターと、フィルターの内側で汚物を粉砕するカッタと、フィルターの上面を覆う隔壁蓋と、フィルターの側面を覆う隔壁板を備えている。なお隔壁蓋と隔壁板は一体に構成されている。
汚物はフィルター内でカッタにより破砕され、粉砕された汚物は、隔壁蓋に付着したり、フィルターの小孔から飛散して隔壁板に衝突して貯留槽の底面に落ちる。従って、貯留槽の側壁には、破砕片が付着したり残留したりすることはなく、衛生性が向上している。また、貯留槽の内部を点検する場合は貯留槽上部を覆う蓋をはずして行うことが想定される。（例えば、特許文献１参照。） 
しかしながら、カッタに破砕片が絡まる、あるいはフィルターの小穴に破砕片が詰まるなど、フィルタの内部を点検・清掃する場合は、貯留槽上部を覆う蓋を開けて、さらにフィルターの上面を覆う隔壁蓋を取除いてから作業を行なうため、隔壁蓋に接触する必要がある。隔壁蓋の上面は、隔壁蓋や隔壁板の効果で汚物の付着や残留は少ないが、汚水雰囲気にさらされているため、雑菌の発生している可能性が高く、隔壁蓋の上面に接触することは、衛生的とはいえない。
【０００３】
【特許文献１】特開平４−２９０５５９号公報（第３頁、第２図）
【発明の開示】
【発明が解決しようとする課題】
【０００４】
本発明は、上記問題を解決するためになされたもので、本発明の課題は、フィルター室内部を点検或いは清掃する場合も、衛生的に行うことができる圧送装置を提供することにある。
【課題を解決するための手段】
【０００５】
上記目的を達成するために請求項１記載の発明によれば、水周り設備からの排水を貯留する貯留槽と、前記貯留槽の内部に配設され、前記排水が流入する排水流入及び前記排水をろ過する複数の小穴が設けられたフィルター室と、前記フィルター室内部に配設され、排水中の固形物を粉砕するカッタと、前記フィルター室によりろ過された排水を前記貯留槽外へ排出するポンプと、前記カッタを駆動するモータと、前記貯留槽内部を確認できるように前記貯留槽の所定位置に開口された貯留槽点検口と、前記貯留槽点検口を開閉する貯留槽点検蓋と、を備えた圧送排水装置において、前記フィルター室の前記貯留槽点検口と対面する位置に、前記フィルター室内部を確認できるように前記小穴より大きい開口として形成したフィルター室点検口を形成するとともに、前記貯留槽点検蓋に、前記フィルター室点検口を塞ぐよう前記貯留槽内方向に突出する突出部を設け、該突出部によって前記フィルター室点検口から排水が漏れるのを抑制するよう構成し、前記貯留槽点検蓋は、前記貯留槽に対してのみ着脱自在に固定され、前記突出部は、前記フィルター室点検口に近接するように突出して設けられていることを特徴とする。
フィルター室内を点検する際に貯留槽点検口に設けた貯留槽点検蓋を開けることで貯留槽内の点検と同時に、貯留槽点検口と対面するように設けたフィルター室点検口を介してフィルター室内の点検を行うことができる。さらに、フィルター室内の点検のために設けた点検口から排水が流出するのを抑制するように貯留槽点検蓋に突出部を設けたので排水内の固形物がカッタで十分に粉砕されることなくフィルター室内から流出するのを抑制できる。また、前記貯留槽点検蓋は、前記貯留槽に対してのみ着脱自在に固定されているため、貯留槽点検蓋を複雑な構造にすることなく突出部によってフィルター内から排水内の固形物が流出するのを抑制できる。
【０００６】
また、請求項２記載の発明によれば、前記突出部と前記フィルター室点検口との隙間は、前記小穴の開口量より小さくなるように突出して設けられていることを特徴とする。
貯留槽点検蓋は、貯留槽のみに固定されているため、貯留槽点検蓋を複雑な構造にすることなく、突出部によってフィルター内から排水内の固形物が流出するのを抑制できる。
【０００７】
また、請求項３記載の発明によれば、水周り設備からの排水を貯留する貯留槽と、前記貯留槽の内部に配設され、前記排水が流入する排水流入口及び前記排水口をろ過する複数の小穴が設けられたフィルター室と、前記フィルター室内部に配設され、排水中の固形物を粉砕するカッタと、前記フィルター室によりろ過された排水を前記貯留槽外へ排出するポンプと、前記カッタを駆動するモータと、前記貯留槽内部を確認できるように前記貯留槽の所定位置に開口された貯留槽点検口と、前記貯留槽点検口を開閉する貯留槽点検蓋と、を備えた圧送排水装置において、前記フィルター室の前記貯留槽点検口と対面する位置に、前記フィルター室内部を確認できるように前記小穴より大きい開口として形成したフィルター室点検口を形成するとともに、前記貯留槽点検蓋に、前記フィルター室点検口を塞ぐよう前記貯留槽内方向に突出する突出部を設け、該突出部によって前記フィルター室点検口から排水が漏れるのを抑制するよう構成し、前記フィルター室点検口には、前記貯留槽点検口側に突出する筒状部材が設けられ、該筒状部材内に前記突出部が挿入されるよう構成されていることを特徴とする。
フィルター室内を点検する際に貯留槽点検口に設けた貯留槽点検蓋を開けることで貯留槽内の点検と同時に、貯留槽点検口と対面するように設けたフィルター室点検口を介してフィルター室内の点検を行うことができる。さらに、フィルター室内の点検のために設けた点検口から排水が流出するのを抑制するように貯留槽点検蓋に突出部を設けたので排水内の固形物がカッタで十分に粉砕されることなくフィルター室内から流出するのを抑制できる。また、フィルター室に流入した排水がフィルター室点検口と突出部との隙間から漏れるのを極力防ぐことができる。 
【０００８】
また、請求項４の発明によれば、前記貯留槽点検蓋及び突出部に前記フィルター室の内部を目視可能な透過部を設けたことを特徴とする。
透過部を通してフィルター室内を見る事で、開口せずとも内部の状況を確認でき、不必要な開口をしなくてもよいので、衛生性を向上できる。
【０００９】
また、請求項５の発明によれば、前記貯留槽の内部において、前記フィルター室点検口が上方の位置になるように、上からフィルター室、モータ、ポンプの順で配置されていることを特徴とする。
これによれば、フィルター室内の点検を高い位置で行うことができるため作業性を向上できる。
【発明の効果】
【００１１】
本発明によれば、貯溜槽に開口された貯溜槽点検口のふたによってフィルター室点検口も塞ぐ事でフィルター室内の点検及び清掃が簡単且つ清潔に行なう事が可能となるという効果がある。
【発明を実施するための最良の形態】
【００１２】
以下、本発明を実施するための最良の形態を図面に基づいて説明する。
図１は本発明に於ける圧送排水装置の全容を示す図である。図１に示すように本発明の圧送排水装置は、図示しない大便器からの汚水を一次貯留する貯留槽１と、貯留槽１内部にあり汚水に含まれる汚物やトイレットペーパーをろ過するフィルター室２と、フィルター室２にとどまった汚物やトイレットペーパーを粉砕するカッタ４と、貯留槽１内の汚水および粉砕された汚物やトイレットペーパーを圧送管７を介して貯留槽１の外に排出するポンプ３と、カッタ４およびポンプ３を同軸で駆動するモータ６と、を備えている。フィルター室２の側面には、大便器からの汚水を導水する排水流入口５と、汚水に含まれる固形物をろ過するための小穴８が開口している。
さらに図２に示すように、フィルター室２には円形のフィルター室点検口１１が開口し、該フィルター室点検口１１には筒状のガイド部３０（図示せず。図３に図示）が備えられている。また、貯留槽１にはフィルター室点検口１１の円心と同軸で、同一方向面の貯留槽点検口１０が開口している。さらに、貯留槽点検口１０を開閉でき、貯留槽点検口１０に装着された状態でフィルター室点検口１１も同時に塞ぐ円筒状の貯留槽点検蓋２０を備えている。貯溜槽点検蓋２０には、フィルター室２内を目視できる透過部４０と、貯留槽点検蓋２０をはずすためのつまみ部２１が備えられている。貯留槽点検口２０の装着状態を図３に示す。図３は排水圧送装置を上面から見たものであり、貯留槽点検蓋２０の先端はガイド部３０に挿入されるが、カッタ４の回転軌道に達していない。
【００１３】
次に本発明の圧送排水装置の動作について説明する。
図示しない便器からの汚水と汚物とトイレットペーパーが排水流入口５からフィルター室２に流れ込むと、汚水はフィルター室２の小穴８を通過して貯留槽１内に流下し、汚物やトイレットペーパー等の固形物はフィルター室２内に残留する。一方図示しないセンサ等の検知手段によって貯留槽１内への汚水の流入を検知すると、モータ６が駆動し、カッタ４が回転し、フィルター室２内に残留した汚物やトイレットペーパー等を粉砕する。粉砕に際し、貯留槽点検蓋２０の先端は、カッタ４の回転軌道より外側に位置するため、カッタ４の駆動を阻止しない。
カッタ４で粉砕された汚物やトイレットペーパーは小穴８を通過して貯留槽１内に流下する。また同軸上に固定されたポンプ３によって、貯留槽１内の粉砕された固形物を含む汚水は、圧送管７を介して貯留槽１の外に排出される。
【００１４】
しかしこの時、フィルター室２内には汚物粉砕片が残る可能性があり、大便器から汚物やトイレットペーパーが流れるたびに、固形物の粉砕片がフィルター室２内に堆積していく事もあり、定期的にフィルター室２内を清掃する事が必要となる。  
また、大便器からの汚水中に汚物やトイレットペーパー以外の異物（例えばコインやタオルなど）が混入されていた場合は、それら異物はカッタ４では粉砕しきれないため、この異物はフィルター室２内部に残る事となり、カッタ４の粉砕性能の低下、或いはカッタ４の破損の原因になると考えられ、異物を直ちに取り除くというメンテナンス作業が必要になる。
【００１５】
このようなフィルター室２内の清掃やメンテナンスの場合を図２で説明する。  
メンテナンスマンが定期点検、または異常を認識した時は、まず貯溜槽点検蓋２０に備えられた透過部４０からフィルター室２の内部を目視し、異物の有無を確認する。異物が無ければ、貯溜槽点検蓋２０を開口する必要が無く、衛生的に点検を終了することができる。  
異物がある場合は、貯溜槽点検蓋２０のつまみ部２１をつまみ、図の手前に引き出すことで貯溜槽点検口１０およびフィルター室点検口１１を開口する。よって、汚水や汚物が触れた部分、または付着している部分を触ることなく、フィルター室２を開口できるので衛生的である。さらに、貯留槽点検蓋２０はガイド部３０に挿入されているため、貯留槽点検蓋２０の側面の汚れは抑えられており、より衛生的である。  
フィルター室２内の異物を除去後、再び使用できる状態への復帰方法は、貯溜槽点検蓋２０のつまみ部２１をつかんで、ガイド部３０に貯留槽点検蓋２０を挿入しながら、貯溜槽点検口１０およびフィルター室点検口１１が塞がるように閉口する。よって、閉口時も汚水や汚物が触れた部分、または付着している部分を触ることがなく、衛生的である。さらに、ガイド部３０によってスムーズに貯留槽点検蓋２０を装着できる。
【実施例】
【００１６】
以下に本発明の他の実施形態を示す。
図４は本発明における一実施の形態を示す構成図であり、圧送排水装置を上面から見た図である。貯留槽１に開口した貯留槽点検口１０に貯留槽点検蓋２０を装着し、貯留槽点検蓋２０のフィルター室２側の面をフィルター室点検口１１に近接させた状態としてもよい。この時、貯溜槽点検蓋２０とフィルター室点検口１１との隙間が、フィルター室に複数開口した小穴８の１つ分の開口面積より、小さくすることが望ましい。図４のようにすることで、図３のガイド部３０を省略することができる。
【００１７】
また、図５は本発明に於ける一実施の形態を示す構成図であり、圧送排水装置を上面から見た図である。貯留槽点検蓋２０のフィルター室２側の面は、フィルター室２の側壁の一部と同じ形状を成し、貯溜槽点検口１０に装着した時に、フィルター室点検口１１を覆い、さらにフィルター室２の円筒状の側壁と当接する。図５のようにすることで、貯留槽点検蓋２０を貯留槽点検口１０に装着固定すればフィルター室２と貯留槽点検蓋２０の隙間を無くし、汚水が漏れ出す事を防ぐ事が可能となり、貯留槽点検蓋２０のフィルター室２側の面のみが汚水に接する事となるので、ガイド部が無い状態でも衛生的に清掃あるいはメンテナンスを行うことができる。
【００１８】
また、図６は本発明に於ける一実施の形態を示す構成図であり、圧送排水装置を上面から見た図である。貯留槽点検口１０に装着された貯留槽点検蓋２０の一部をフィルター室点検口１１に挿入させ、フィルター室点検口１１と貯留槽点検蓋２０の間にできる隙間の面積をフィルター室２に設けた１つの小穴８の開口面積よりも小さくした。図６のようにすることで、例えば図４に示すような構造によって貯留槽点検蓋２０とフィルター室点検口１１との間にできる隙間の面積をフィルター室２に設けた１つの小穴８の開口面積より小さくしようとした場合、貯留槽点検蓋２０の貯留槽点検口１０への固定具合によってフィルター室点検口１１との間にできる隙間の面積が変化してしまうが、フィルター室点検口１１に挿入固定する構造にすることで貯留槽点検蓋２０とフィルター室点検口１１の間にできる隙間の面積は貯留槽点検口１０への固定具合に依存しない。
【００１９】
以上の実施例においては、本発明の圧送排水装置を接続する水廻り設備は大便器としたが、大便器に限らず汚水雑排水を排水する設備であればよい。例えば、台所流し、洗面器、浴槽、洗濯機が挙げられる。また固形物を含まない洗面器、浴槽、洗濯機は図１のカッタ４を省略し、フィルター室２で異物をろ過する構造としてもよい。
また、貯溜槽１とフィルター室２の側面に点検口を開口させたが、図７のように貯溜槽１とフィルター室２の上面に点検口を設けても構わない。図７によると、貯溜槽点検口１０が貯溜槽１の上面に位置し、フィルター室点検口１１がフィルター室２の上面に開口している。例えば、圧送排水装置を床下に配置する場合や狭いトイレに設置した場合は、上方からフィルター室２にアプローチできるので、清掃やメンテナンスがしやすくなる。
また、図１、図２、図３、図４、図６、図７においては、貯留槽点検蓋２０を貯溜槽点検口１０にねじ込み方式で装着できるようにし、貯留槽点検蓋２０と貯溜槽点検口１０の密閉度を向上させる事ができる。
また、図１でモータ６を最上部、その下にフィルター室２、最下部にポンプ部３の順に取付けてもよく、その場合は貯溜槽１の側面に貯溜槽点検口１０、フィルター室２の側面にフィルター室点検口１１を配置することが望ましい。
【図面の簡単な説明】
【００２０】
【図１】本発明に於ける圧送排水装置の一実施形態を示す全体構成図。
【図２】本発明に於ける圧送排水装置の一実施形態を示す斜視図。
【図３】本発明に於ける圧送排水装置の一実施形態を示す図。
【図４】本発明に於ける圧送排水装置の一実施形態を示す図。
【図５】本発明に於ける圧送排水装置の一実施形態を示す図。
【図６】本発明に於ける圧送排水装置の一実施形態を示す図。
【図７】本発明に於ける圧送排水装置の一実施形態を示す全体構成図。
【符号の説明】
【００２１】
１…貯留槽
２…フィルター室
３…ポンプ
４…カッタ
５…排水流入口
６…モータ
７…圧送管
８…小穴
１０…貯留槽点検口
１１…フィルター室点検口
２０…貯留槽点検蓋
２１…つまみ部
３０…ガイド部
４０…透過部
【図１】
0004411655.tif 000002
【図２】
0004411655.tif 000003
【図３】
0004411655.tif 000004
【図４】
0004411655.tif 000005
【図５】
0004411655.tif 000006
【図６】
0004411655.tif 000007
【図７】
0004411655.tif 000008